(57)【要約】【課題】粉末収納体をキャップへの取付けが簡単で、また飲用時にキャップを開けた後、手で粉末収納体に所定の圧力を加えるだけで粉末収納体を容易に開裂することができ、飲用時に即座に混合して新鮮な状態で飲用し得る粉末収納体付き容器用キャップの提供。【解決手段】キャップ１の内面に粉末収納体を有する粉末収納体付き容器用キャップにおいて、前記キャップ１の天井部１１と粉末収納体７の上部にそれぞれ平板磁石を有し、これら平板磁石同士が吸着して固定されており、かつ前記粉末収納体の有底部には複数の非貫通スリット有している。前記非貫通スリットの断面形状がＶ字形であり、前記粉末収納体がプラスチックボトルである。【選択図】    図１
2009073508.tif 000002
【特許請求の範囲】
【請求項１】
キャップの内面に粉末収納体を有する粉末収納体付き容器用キャップにおいて、前記キャップの天井部と粉末収納体の上部にそれぞれ平板磁石を有し、これら平板磁石同士が吸着して固定されており、かつ前記粉末収納体の有底部には複数の非貫通スリット有していることを特徴とする粉末収納体付き容器用キャップ。
【請求項２】
前記非貫通スリットの断面形状がＶ字形であることを特徴とする請求項１に記載の粉末収納体付き容器用キャップ。
【請求項３】
前記容器がプラスチックボトルであることを特徴とする請求項１又は請求項２に記載の粉末収納体付き容器用キャップ。
【発明の詳細な説明】
【技術分野】
【０００１】
本発明は、粉末収納体を磁石で固定した容器用キャップに関するものであり、更に詳しくは飲料材料を水と分離して粉末状で保持した粉末収納体を容易に取付け又は取り外すことができる共に、簡単な操作で開裂可能とし、飲料時に即座に混合して新鮮な状態で飲用し得る粉末収納体付き容器用キャップに関するものである。
【背景技術】
【０００２】
従来、飲料材料は、液状体でビン、缶、ペットボトル（商標名）などに詰めて販売されているが、最初から液状体にした飲料は、時間経過と共に変質して味や風味が変化するという問題があり、近年、この点を改良した種々の技術が開発されている。その一例としては、文献の図１乃至図３に示されるように、ビンやプラスチック容器などの外部キャップ３と内部キャップ２からなり、この内部キャップ２に粉末茶５を収納すると共に、外部キャップ３の内面には、先端部が刃形状などの形状になっている下方突出部３ｂを備えた合成樹脂からなり、下方突出部３ｂの内側には窪み部３ｅが設けられ、また外周には突起状のシール部３ｃが設けられている。下方突出部３ｂのシール部３ｃが内部キャップ２の収納部２ｂ内週面に当接して、収納部２ｂ内に収納されている粉末茶５を密封する構造となっている。蓋３を回転させて開けると蓋３と連動した刀形をした下方突出部３ｂによって粉末収納体２が破れて粉末５が落下して飲料水３に混合される技術が開示されている（例えば、特許文献１参照）。
【０００３】
また図１乃至図４に示されているように、瓶口２ａに止着した密封容器４が瓶口２ａ内に没入された状態で設けられており、この密封容器４の上面部４ｄには凹部が形成されている。他方、キャップの内面側には、内方に向かって突出する突起６ａが形成されており、この突起６ａが密封容器４の上面部４ｄ側を押圧してこれを突き破り、さらに下面部４ｅをも破って密封容器４内の粉末茶５を容器本体内の飲料水中に落下させる飲料用混合容器が開示されている（例えば、特許文献２参照）。
【０００４】
更には図６乃至図７に示されているように、ペットボトル本体１０の口頚部２に固体状の飲料材料３を封入した収納袋４が保持され、またボトルキャップ１の上面には、ペットボトルの口頚部２より内側に、その肉厚が薄くなるように円形溝７を（変形部）形成し、手の押圧で収納袋４が破袋（図７参照）するようにした飲料用容器が開示されている（例えば、特許文献３参照）。
【特許文献１】特開２００４−２７６９４２（段落０００６、段落０００８乃至段落００１０、段落００１２、図１乃至図３）
【特許文献２】特開２００３−７２８２２（段落０００６乃至段落００１１、図１乃至図４）
【特許文献３】特開２００４−２８４６５３（段落００１０、図６乃至図７）
【発明の開示】
【発明が解決しようとする課題】
【０００５】
しかしながら、前述の如く特許文献１に開示されている飲料容器のキャップ構造は、外部キャップ３と内部キャップ２からなり、この内部キャップ２に粉末茶５を収納すると共に、外部キャップ３の内面に設けられた先端部が刃形状の下方突出部３ｂによって内部キャップ２の底面を破断して粉末茶５を飲料水に混合するが、外部キャップ３と内部キャップ２を用いるなど部品数が多く、また構造が複雑となる。更には飲用時に内部キャップ２
を取り除いてから飲用するので、煩わしさを伴う点で問題があった。
【０００６】
また特許文献２に開示されている飲料用混合容器は、キャップの内面側に設けられた突起６ａで密封容器４の上面部４ｄ側を押圧してこれを突き破り、さらに下面部４ｅをも破って密封容器４内の粉末茶５を容器本体内の飲料水中に落下させるものであるが、これは前記特許文献１と同様に密封容器４を突き刺し、飲用時には破れた密封容器４を取り除く必要があるばかりか、取り除いた密封容器４の処分に煩わしさの恐れがあるという問題があった。
【０００７】
更に特許文献３に開示されているぺットボトルキャップの内部構造としては、ボトルキャップ１の上面には、ペットボトルの口頚部２より内側に、その肉厚が薄くなるように円形溝７を（変形部）形成し、一方ペットボトル本体１０の口頚部２に固体状の飲料材料３を封入した収納袋４が保持されているので、この収納袋４を手の押圧で破袋（図７参照）することにより飲料材料３を飲料水中に落下させるものであるが、この収納袋４には、袋を開裂しうるスリットがなく、またぺットボトルキャップに、その肉厚が薄い円形溝７が設けられているものの、この構造では手による押圧力が弱く収納袋４を破壊するには十分ではないという問題があった。また飲用時には破れた収納袋４を取り除く必要があるばかりか、取り除いた収納袋４の処分に煩わしさの恐れがあるという問題があった。
【０００８】
そこで、本発明者は、上記の問題点について、種々検討したところ、上記文献に記載のキャップは、いずれも構造が複雑であったり、十分な応力を加えることができないものであるところ、キャップの天井部へ粉末収納体を容易に取付けられ、またキャップを開けた後、簡単な操作でかつ十分な押圧力で粉末収納体を開裂することのできることを課題に、種々検討し、天井部で平板磁石を介して粉末収納体を取付けているので、容易に取り外しができ、また該粉末収納体の有底部に非貫通スリットを設けて該粉末収納体を手による押圧によって非貫通スリットが破壊され易いようにしたことにより、飲用時にキャップを開けた後、手などで所定の圧力を加えるだけで粉末収納体を容易に開裂することができ、飲用時に即座に混合して新鮮な状態で飲用し得る粉末収納体付き容器用キャップが得られることを見出し、ここに本発明をなすに至った。
【０００９】
したがって、本発明が解決しようとする課題は、粉末収納体をキャップへの取付けが簡単で、また飲用時にキャップを開けた後、キャップから粉末収納体を取り外すことができ、手で粉末収納体に所定の圧力を加えるだけで粉末収納体を容易に開裂することができ、飲用時に即座に混合して新鮮な状態で飲用し得る粉末収納体付き容器用キャップを提供することにある。
【課題を解決するための手段】
【００１０】
本発明は、以下の各発明によって、前記の課題を解決したものである。
（１）キャップの内面に粉末収納体を有する粉末収納体付き容器用キャップにおいて、前記キャップの天井部と粉末収納体の上部にそれぞれ平板磁石を有し、これら平板磁石同士が吸着して固定されており、かつ前記粉末収納体の有底部には複数の非貫通スリット有していることを特徴とする粉末収納体付き容器用キャップ。
（２）前記非貫通スリットの断面形状がＶ字形であることを特徴とする前記第１項に記載の粉末収納体付き容器用キャップ。
（３）前記容器がプラスチックボトルであることを特徴とする前記第１項又は第２項に記載の粉末収納体付き容器用キャップ。
【発明の効果】
【００１１】
本発明において、（１）前記第１項に記載された粉末収納体付き容器用キャップは、キ
ャップの内面に粉末収納体を有する粉末収納体付き容器用キャップにおいて、前記キャップの天井部と粉末収納体の上部にそれぞれ平板磁石を有し、これら平板磁石同士が吸着して固定されており、かつ前記粉末収納体の有底部には複数の非貫通スリット有していることを特徴とするもので、この平板磁石を介して前記キャップの天井部に固定され、また取り外しができることにより、製造時、キャップの天井部に粉末収納体を簡単かつ容易に取り付けられると共に、キャップを開けた後、キャップに付いた粉末収納体を容易に取り外しかつ手で押圧することができ、押圧がし易くしたがって開裂が容易にでき、粉末を即座に飲料水中に混入しうるという優れた効果を奏するものである。
【００１２】
（２）前記第１項に記載の粉末収納体付き容器用キャップにおいて、前記非貫通スリットの断面形状がＶ字形であることを特徴とするもので、この非貫通スリットの断面形状がＶ字形であることによりＶ字形の肉薄部が容易に開裂して粉末を容易に飲料水中に混入することができるという格別優れた効果を奏するものである。
【００１３】
（３）前記第１項又は第２項に記載の粉末収納体付き容器用キャップにおいて、前記容器がプラスチックボトルであることを特徴とすることにより、軽量かつ安価であるので、経済的に有利であるという優れた効果を奏するものである。
【発明を実施するための最良の形態】
【００１４】
以下に、本発明について、発明の実施の形態を図面で説明するが、本発明は、これに限定されるものではない。図面において、同一部分には、同じ符号を付してその説明を省略する。またここで、粉末収納体の上部とは、該上部に直接平板磁石を接着する場合と粉末収納体の上部に留具を介して平板磁石に接着する場合の態様を含む意味で使用している。
【００１５】
図１は、本発明の粉末収納体付きボトル用キャップを示す断面図である。図１において、粉末収納体付きボトル用キャップ１には、該キャップ１の天井部１１に瓶口嵌合部のリブ１２を有する。また粉末３としてお茶を入れる容器７の上面が極薄平板磁石１３、１４を介して磁石により固定されている。この極薄平板磁石１３、１４は、共に、正方形でも長方形でもよく、また円盤状であってもよい。この際、一方の極薄平板磁石１３は、接着剤によりキャップの天井部に接着し、また他方の極薄平板磁石１４は容器７の上面部に接着剤１６で固定されている。これら極薄平板磁石１３、１４が互いに吸着することによりキャップ１の内面に粉末収納体７は設けられる。このようにキャップ１の内面に設けられた粉末収納体７の有底部（８）付近には、有底部８の中心から放射状に上部に向って非貫通スリット６が設けられている。この非貫通スリット６の断面形状がＶ字形であるのことが好ましい。前記の接着剤としては、通常、食品用接着剤であれば、特に限定されるものではない。また粉末収納体７としては、容器、袋などいずれも食品に用いられるものであればよく、またその材質は、例えば、アルミ箔、積層アルミ箔など食品用で製造されているものであれば特に限定されない。粉末３としては、飲料用に用いられるものであれば、特に限定されるものではないが、好ましくは、お茶、コーヒー、ジュースなどの粉末を用いることができる。
【００１６】
前記粉末収納体７の底の部分にはスリット６が設けられ、このスリットは、非貫通スリットであり、好ましくはＶ字形である。このように底の部分をＶ字形に切り込むことにより切り込まれた面の厚みが薄くなるので、破壊されやすくなり、手で粉末収納体７を押圧することにより容易に粉末収納体７が壊れて粉末が飲料水中へ混入する。
【００１７】
図２は、本発明の別の実施態様の粉末収納体付きキャップを示す断面図である。図３は、図２の粉末収納体を示す底面図である。図２及び図３において、キャップ１の天井部１１に瓶口嵌合部１２を有し、天井部１１の中心部に極薄平板磁石１３を接着剤１６で接着し、また留具１５の上面は極薄平板磁石１４が接着剤１６で接着されている。これらの極
薄平板磁石１３、１４同士が磁気作用により結合される。また粉末収納体７１は、ナス形状からなり、この中にはお茶が封入されている。その有底部８には、図３に示される如く、粉末収納体７１の有底部８の中心から放射状に上部に向って非貫通スリット６が設けられている。この非貫通スリット６の断面形状がＶ字形であるのことが好ましい。また留具１５と粉末収納体７１との固定手段には、特に限定されるものではないが、機密に結合されており、例えば、く、接着剤で接着してもよく、またはめ込み式の接続具を用いてもよく、できるだけ簡単な接続部材を用いることが好ましい。更に具体的には、留具１５は、筒状体からなる場合には、該筒状体に粉末収納体７の上部を絞り込んで挿入・固定してもよく、また留具１５がコの字形状からなり、この開口部に粉末収納体７の上部を挟むことにより固定してもよい。更にこれらの留具の固定に接着剤を併用することが好ましい。
【００１８】
本発明において、図１及び図２に示される粉末収納体７の材質としては、気体や液体を通過しないものが好ましく、例えば、前述のアルミ箔、積層アルミ箔や合成樹脂や樹脂被覆紙などの食品用に使用されるものであれば特に限定されるものではない。キャップ１や蓋２などの材質は、特に限定されるものではないが、経済性を考慮すれば、プラスチックスが好ましい。このように形成された粉末収納体７は、機密となり、この状態では液体はもちろんのこと、空気などの気体は全く外部に出ない。したがって、押圧により粉末収納体７は、非貫通スリット部分で開裂する。本発明の粉末収納体付きキャップは、使用時には、キャップの蓋を回転して開け、該キャップの内天井部に固定されている粉末収納体を取り外し、瓶口付近で粉末収納体を手で強く押圧すると、該粉末収納体は、開裂して、中の粉末が瓶中の水と投入され容易に混合して新鮮な液体飲み物が得られる。
【産業上の利用可能性】
【００１９】
本発明は、自動販売機などの販売用に供する分野において保存時間が長期に及ぶような場合、保存期間中に味や風味が変化するような飲料材料を扱う場合に極めて有効である。
【図面の簡単な説明】
【００２０】
【図１】本発明の粉末収納体付き容器用キャップを示す断面図である。
【図２】本発明に用いられる別の粉末収納体を示す断面図である。
【図３】本発明に用いられる粉末収納体を示す底面図である
【符号の説明】
【００２１】
１  キャップ
１１  天井部
１２  瓶口嵌合部又はリブ
１３、１４  極薄平板磁石
３  粉末
６  スリット
７、７１  粉末収納体（容器）
８  有底部
１５  留具
１６  接着剤
【図１】
2009073508.tif 000003
【図２】
2009073508.tif 000004
【図３】
2009073508.tif 000005